(57)【要約】【課題】１つの太陽電池瓦において、軒先側の太陽電池瓦の上縁部に棟側の太陽電池瓦が重ねて施工されるため、棟側の太陽電池瓦の前端部の段差が、そのすぐ軒先側に設置された太陽電池瓦への影の原因となり、発電量が低下してしまうと言う課題があった【解決手段】太陽電池一体屋根葺材１の上縁部の段差部１５の上部に、他の太陽電池一体屋根葺材１の第２の延出部１３を配置し、屋根の軒先側に配置された太陽電池一体屋根葺材１の屋根葺材表面部７よりも屋根の棟側に配置された太陽電池一体屋根葺材１の屋根葺材表面部７が屋根の傾斜に垂直な方向に対して同一あるいは低くなる構成とした。【選択図】図１
2014152513.tif 000002
【特許請求の範囲】
【請求項１】
１つまたは複数の太陽光を電気に変換するソーラーセルと、
前記ソーラーセルを平面状にならべ組み込んだ屋根葺材表面部と、
前記屋根葺材表面部と傾斜面により低い位置で接続されている重ね合せ部とを備えた太陽電池一体屋根葺材において、
前記太陽電池一体屋根葺材は、複数枚を接続することができ、
前記屋根葺材表面部の前端部の第１の端部から延出する第１の延出部と、
前記屋根葺材表面部の重ね合わせ部と対向する第２の端部から延出した第２の延出部と、
前記屋根葺材表面部の前記第１の端部に対向する上端部の第３の端部に形成された段差部と、
前記重ね合せ部の表面に形成され、前記ソーラーセルの端に電気的に接続されている少なくとも１つの第１の電極部と、
前記第２の延出部の裏面に形成され、前記ソーラーセルの他の端に電気的に接続されている少なくとも１つの第２の電極部とを有し、
前記太陽電池一体屋根葺材を複数枚接続し、屋根に配置される際に、
前記第１の電極部と前記第２の電極部が電気的に接続され、前記重ね合せ部の上部に前記第２の延出部が配置され、
あるいは、前記段差部の上部に前記第１の延出部が配置され、
前記屋根の軒先側に配置された太陽電池一体屋根葺材の前記屋根葺材表面部よりも前記屋根の上側に配置された太陽電池一体屋根葺材の前記屋根葺材表面部が前記屋根の傾斜に垂直な方向に対して同一あるいは低くなっていることを特徴とする太陽電池一体屋根葺材。
【請求項２】
前記第１の電極部は、前記重ね合せ部の表面よりも突出した電極凸部を有し、前記電極凸部の上面に電極コネクタが配置されていることを特徴とする請求項１に記載の太陽電池一体屋根葺材。
【請求項３】
前記太陽電池一体屋根葺材の少なくとも一部が光透過性の熱可塑性樹脂あるいは熱硬化性樹脂よりなることを特徴とする請求項１又は請求項２に記載の太陽電池一体屋根葺材。
【発明の詳細な説明】
【技術分野】
【０００１】
本発明は、屋根などの傾斜面に簡単な施工で太陽電池を葺くことが可能な太陽電池一体
屋根葺材に関する。
【背景技術】
【０００２】
従来より、屋根を葺く屋根葺材として、太陽光を電力に変換するソーラーセルが設けられた太陽電池瓦が知られている。（特許文献１、２参照）。このような太陽電池瓦で葺いた屋根は、太陽光を電力に変換し、その電力を建物内の電気製品の電力として利用したり、余った電力を電力会社へ売電したりできる太陽電池屋根となっている。また、太陽電池瓦は、他の太陽電池瓦と重ね合わされることで傾斜した屋根に配列されている。そして、各太陽電池瓦には、ソーラーセルと接続された電極が形成されており、この電極により太陽電池瓦を重ね合わせることで、太陽電池瓦同士を電気的に接続させることができる。そのため、別途太陽電池瓦同士を電気的に接続するための電線が不要となり、屋根の屋根葺作業を容易かつ迅速に行うことができる。
【先行技術文献】
【特許文献】
【０００３】
【特許文献１】特開２００１−２２７１０９号公報
【特許文献２】特開平１０−１８３８８０号公報
【発明の概要】
【発明が解決しようとする課題】
【０００４】
しかしながら、前述のような太陽電池瓦を葺いた屋根では、太陽電池瓦を屋根の下側（軒先側）から順に重ね合せながら葺いていく。１つの太陽電池瓦において、軒先側の端部を前端部、その反対の棟側の端部を上縁部と定義すると、上空からの雨などを屋根の下方向に流すために、軒先側の太陽電池瓦の上縁部に棟側の太陽電池瓦を重ねて施工するため、棟側の太陽電池瓦の前端部が軒先側の太陽電池瓦の後端の上に乗り上げ、段差ができてしまう。また、通常、太陽電池瓦の設置面は、その発電量を大きくするため、南面に設置されている。通常太陽光は屋根の上方より降り注ぐ為、太陽電池瓦に太陽光が照射される際に、夏の昼頃の太陽電池瓦の正面で太陽高度が高い場合や、朝や夕方などの太陽電池瓦に対して斜めに太陽光が照射され且つ太陽高度が低い場合などには、この棟側の太陽電池瓦の前端部の段差が、そのすぐ軒先側に設置された太陽電池瓦への影の原因となり、発電量が低下してしまうと言う課題があった。
【０００５】
また、通常瓦は光を透過しない材質で形成されているため、太陽電池瓦のソーラーセル以外の部分に照射された太陽光はまったく利用されていなかった。
【０００６】
本発明は、屋根に複数の太陽電池一体屋根葺材を設置する場合に、上述した太陽電池瓦自身の影による発電量の低下を極力抑え、発電量を少しでも多くし、ソーラーセル以外の部分に照射された太陽光も有効活用することが可能な太陽電池一体屋根葺材を提供することを目的とする。
【課題を解決するための手段】
【０００７】
上記の課題を解決するために、本発明の太陽電池一体屋根葺材は、１つまたは複数の太陽光を電気に変換するソーラーセルと、前記ソーラーセルを平面状にならべ組み込んだ屋根葺材表面部と、前記屋根葺材表面部と傾斜面により低い位置で接続されている重ね合せ部とを備えた太陽電池一体屋根葺材において、前記太陽電池一体屋根葺材は、複数枚を接続することができ、前記屋根葺材表面部の前端部の第１の端部から延出する第１の延出部と、前記屋根葺材表面部の重ね合わせ部と対向する第２の端部から延出した第２の延出部と、前記屋根葺材表面部の前記第１の端部に対向する上端部の第３の端部に形成された段差部と、前記重ね合せ部の表面に形成され、前記ソーラーセルの端に電気的に接続されている少なくとも１つの第１の電極部と、前記第２の延出部の裏面に形成され、前記ソーラーセルの他の端に電気的に接続されている少なくとも１つの第２の電極部とを有し、前記太陽電池一体屋根葺材を複数枚接続し屋根に配置される際に、前記第１の電極部と前記第２の電極部が電気的に接続され、前記重ね合せ部の上部に前記第２の延出部が配置され、あるいは前記段差部の上部に前記第１の延出部が配置され、前記屋根の軒先側に配置された太陽電池一体屋根葺材の前記屋根葺材表面部よりも前記屋根の上側に配置された太陽電池一体屋根葺材の前記屋根葺材表面部が前記屋根の傾斜に垂直な方向に対して同一あるいは低くなる構成とした。
【０００８】
さらに、本発明の太陽電池一体屋根葺材では、前記第１の電極部は、前記重ね合せ部の表面よりも突出した電極凸部を有し、前記電極凸部の上面に電極コネクタを配置する構成とした。
【０００９】
さらに、本発明の太陽電池一体屋根葺材では、前記太陽電池一体屋根葺材の少なくとも一部が光透過性の熱可塑性樹脂あるいは熱硬化性樹脂よりなる構成とした。
【発明の効果】
【００１０】
本発明によれば、太陽光が太陽電池一体屋根葺材を設置した屋根に照射される際に、太陽電池一体屋根葺材自身の構造に起因する影をなくすことができ、年間を通じて、太陽電池一体屋根葺材に照射された太陽光のエネルギーを有効利用でき、発電量を向上させることができる。
【００１１】
また、通常屋根葺材のソーラーセル部分以外に照射された太陽光はまったく利用されないが、太陽電池光透過性の材質を太陽電池一体屋根葺材に用い、カーポートやビニールハウスなどの透明な屋根に設置した場合、その内部を明るく照射することができ、太陽光を最大限有効に利用することができる。
【図面の簡単な説明】
【００１２】
【図１】第１実施形態に係る１つの太陽電池一体屋根葺材を示す斜視図である。
【図２】第１実施形態に係る複数の太陽電池一体屋根葺材の接続の方法を示す図である。
【図３】第１実施形態に係る複数の太陽電池一体屋根葺材の屋根への設置を示す平面図である。
【図４】第１実施形態に係る複数の太陽電池一体屋根葺材の屋根への設置を示す断面図である。
【図５】第１実施形態に係る太陽電池一体屋根葺材の電極部を示す断面図であり、（ａ）は２つの太陽電池一体屋根葺材の接続前の状態を示し、（ｂ）は接続後の状態を示す。
【図６】第１実施形態に係る複数の太陽電池一体屋根葺材が接続された状態における断面部の略図である。
【図７】第１実施形態に係る太陽電池一体屋根葺材の位置合せ部（位置合せ凸部と位置合せ嵌部）を示す断面図であり、（ａ）は２つの太陽電池一体屋根葺材の接続前の状態を示し、（ｂ）は接続後の状態を示す。
【図８】第１実施形態に係る複数の太陽電池一体屋根葺材の屋根への設置した際の電気的接続状態を示す模式図である。
【図９】第２実施形態に係る複数の太陽電池一体屋根葺材の屋根への設置した際の電気的接続状態を示す模式図である。
【図１０】第３実施形態に係る太陽電池一体屋根葺材の屋根への固定を示す断面図であり、（ａ）は２つの太陽電池一体屋根葺材の接続前の状態を示し、（ｂ）は接続後の状態を示す。
【発明を実施するための形態】
【００１３】
（第１実施形態）
以下、本発明の第１実施形態による太陽電池一体屋根葺材について、図面を参照しながら説明する。図１は、第１実施形態に係る１つの太陽電池一体屋根葺材を示す斜視図である。図２は、第１実施形態に係る複数の太陽電池一体屋根葺材の接続の方法を示す図である。図３は、第１実施形態に係る複数の太陽電池一体屋根葺材の屋根への設置を示す平面図である。図４は、第１実施形態に係る複数の太陽電池一体屋根葺材の屋根への設置を示す断面図である。図５は、第１実施形態に係る太陽電池一体屋根葺材の電極部を示す断面図であり、（ａ）は２つの太陽電池一体屋根葺材の接続前の状態を示し、（ｂ）は接続後の状態を示す。図６は、第１実施形態に係る複数の太陽電池一体屋根葺材が接続された状態における断面部の略図である。図７は、第１実施形態に係る太陽電池一体屋根葺材の位置合せ部（位置合せ凸部と位置合せ嵌部）を示す断面図であり、（ａ）は２つの太陽電池一体屋根葺材の接続前の状態を示し、（ｂ）は接続後の状態を示す。図８は第１実施形態に係る複数の太陽電池一体屋根葺材の屋根への設置した際の電気的接続状態を示す模式図である。
【００１４】
図１および図２において、１は太陽電池一体屋根葺材、２は電極部（メス）、３は電極部（オス）、４は位置合せ凸部、５は位置合せ嵌合部、６Ａ、６Ｂ、６Ｃ、６Ｄはソーラーセル、７は屋根葺材表面部、８は重ね合せ部、９は傾斜部、１０は第１の端部、１１は第３の端部、１２は第２の端部、１３は第１の延出部、１４は重ね合せ延出部、１５は第３の端部の段差部、１６は重ね合せ段差部、１７は第２の延出部である。位置合せ凸部４と位置合せ嵌合部５が位置合せ機構となる。
【００１５】
太陽電池一体屋根葺材１は、その屋根葺材表面部７にソーラーセル６Ａ、６Ｂ、６Ｃ，６Ｄが平面状に配置され、配線で電気的に接続されている。このソーラーセルのタイプとしては、シリコン単結晶タイプやシリコン多結晶タイプ、薄膜タイプなどの太陽光を電力に変換するものであればその種類を問わない。
【００１６】
太陽電池一体屋根葺材１は、この屋根葺材表面部７と、屋根葺材表面部７よりも低い位置に配置された重ね合せ部８と、屋根葺材表面部７と重ね合せ部８を接続する傾斜面９とからなる。屋根葺材表面部７には、その前端部の第１の端部１０に第１の延出部１３が、重ね合せ部８に対向する第２の端部１２に第２の延出部１７が、第１の端部１０の対向する第３の端部１１に段差部１５が形成されている。また、段差部１５は、傾斜部９と重ね合せ部８の端面にまで続き、重ね合せ部８の端部に重ね合せ段差部１６が形成され、重ね合せ部８の反対側には重ね合せ延出部１４が形成されている。
【００１７】
さらに、重ね合せ部８には電極部（メス）２と位置合せ凸部４が形成されている。さらに、第２の延出部１７の裏面（屋根葺材表面部７のソーラーセル６Ａ、６Ｂ、６Ｃ，６Ｄが配置された側の反対側の面）には、電極部（オス）３と位置合せ嵌合部５が形成されている。電極部（メス）２と電極部（オス）３は、それぞれソーラーセルと電気的に接続されている。このように構成された太陽電池一体屋根葺材１は、ソーラーセル６Ａ、６Ｂ、６Ｃ、６Ｄを内包するように主に透明な材質により形成されている。透明材質としては、ガラス基板とポリカーボネートなど透明な熱可塑性の樹脂の組み合わせ、ポリカーボネートなどの透明な熱硬化性樹脂、あるいは透明な熱可塑性樹脂などとすることができる。特に熱硬化性樹脂や熱可塑性樹脂を用いた場合には、射出成型など大量生産が容易に可能である。
【００１８】
本実施の形態では、１つの太陽電池一体屋根葺材１に４つのソーラーセルを組み込んでいるが、この数は、４つに限定されるものではなく、１つ、或いは複数であってもよいことは言うまでもない。
【００１９】
次に、図２をもちいて、このように構成された太陽電池一体屋根葺材１を複数個接続する方法について説明する。
【００２０】
図２において左手前に配置された太陽電池一体屋根葺材１ａの重ね合せ部８には、図２において右下に配置された太陽電池一体屋根葺材１ｃの第２の延出部１７が重なるように配置され、左手前に配置された太陽電池一体屋根葺材１ａの電極部（メス）２と位置合せ凸部４が、それぞれ右下に配置された太陽電池一体屋根葺材１ｃの第２の延出部１７の裏面に配置された電極部（オス）３と位置合せ嵌合部５とそれぞれ嵌合する。また、左手前に配置された太陽電池一体屋根葺材１ａの段差部１５と重ね合せ段差部１６は、上に配置された太陽電池一体屋根葺材１ｂの第１の延出部１３と重ね合せ延出部１４がそれぞれ重なるように配置される。このように複数の太陽電池一体屋根葺材を配置することで、同じ形状の太陽電池一体屋根葺材を２次元的に配置することができる。本第１実施形態においては、太陽電池一体屋根葺材を屋根に配置する際に、釘やネジなどは必要としない。更に位置合せも電極部と位置合せ機構で行うことがきる。
【００２１】
ここで、第１の延出部１３と段差部１５の形状は、太陽電池一体屋根葺材１ａの上縁部の段差部１５の上部に、太陽電池一体屋根葺材１ｂの第２の延出部１３を配置した際に、屋根の軒先側に配置された太陽電池一体屋根葺材１ａの屋根葺材表面部７よりも屋根の棟側に配置された太陽電池一体屋根葺材１ｂの屋根葺材表面部７が屋根の傾斜に垂直な方向に対して同一あるいは低くなる構成とした。
【００２２】
次に、各太陽電池一体屋根葺材同士の電気的な接続方法と位置合せ方法を図５から図６を用いて説明する。５０１は電極凸部、５０２は電極コネクタ（メス）、５０３は電極ケーブル、５０４はシール部材嵌合部、５０５はシール部材、５１１は電極嵌合部、５１２は電極コネクタ（オス）、５１３は電極ケーブル、５１４はシール部材当接部、６０１は雨水止め部、７１１は位置合せ嵌合である。
【００２３】
図５と図６に示すように、太陽電池一体屋根葺材１の電極部（メス）２は、電極凸部５０１と、この電極凸部５０１の中心部分に形成された電極コネクタ（メス）５０２と、この電極コネクタ（メス）５０２とソーラーセルとを電気的に接続するための電極ケーブル５０３と、電極凸部５０１の上面に設けられたシール部材嵌合部５０４と、このシール部材嵌合部５０４に嵌合されたシール部材５０５からなる。また、電極部（オス）３は、電極部（メス）２と嵌合するための電極嵌合部５１１と、電極部（オス）３の中心部に形成され電極コネクタ（メス）５０２と嵌合する電極コネクタ（オス）５１２と、この電極コネクタ（オス）５１２とソーラーセルを電気的に接続するための電極ケーブル５１３と、電極部への水の浸入を防ぐために電極部（メス）２のシール部材５０５を変形させ、防水効果を得るためのシール部材当接部５１４からなる。電極部（メス）２と電極部（オス）３とが嵌合することで、その中の電極コネクタ（メス）５０２と電極コネクタ（オス）５１２とが接触し、２つの太陽電池一体屋根葺材同士が電気的に接続された状態（図５（ｂ））となる。
【００２４】
また、太陽電池一体屋根葺材１の重ね合せ部８の側部には図６に示すように雨水止め部６０１を設けている。屋根に設置された太陽電池一体屋根葺材１に降った雨は、屋根葺材表面部７を軒先方向に流れていくが、一部は傾斜部９から重ね合せ部８に流れ込む。そこで、重ね合せ部８に流れ込んだ水を、屋根４０１に流れるのを防ぎ、重ね合せ部８から軒先方向に流すために、この雨水止め部６０１を設けた。電極部（メス）２は、その流れる雨の影響をなくすために、重ね合せ部８の表面よりも飛び出した凸形状とした。この雨水止め部６０１の高さは、重ね合せ部８の電極凸部５０１の高さよりも低くすることが望ましい。
【００２５】
ここで、電極コネクタのオス形状とメス形状は、この実施形態に限られず、電気的に接続されればオス形状とメス形状は逆でもよいことは言うまでもない。さらに、シール部材も、電極部の防水性能が確保できれば良いので、他の配置、或いは個数、形状であっても良いことは言うまでもない。
【００２６】
次に、太陽電池一体屋根葺材１の位置合せ機構について図７を用いて説明する。７１１は位置合せ嵌合突起部である。太陽電池一体屋根葺材１の重ね合せ部８には位置合せのために、位置合せ凸部４とそれに嵌合する位置合せ嵌合部５が形成されている。図７に示すように、位置合せ嵌合部５には、位置合せ凸部４と嵌合するための位置合せ嵌合突起部７１１が形成せれており、この位置合せ嵌合突起部７１１が位置合せ凸部４の斜面と嵌合し、位置合せすることが可能となる（図７（ｂ））。
【００２７】
次に太陽電池一体屋根葺材を複数枚に屋根に配置した場合について図３と図４をもちいて説明する。図３は、第１実施形態に係る複数の太陽電池一体屋根葺材の屋根への設置を示す平面図である。また、図４は、第１実施形態に係る複数の太陽電池一体屋根葺材の屋根への設置を示す断面図である。３０１は第１の屋根基材、３０２は第３の屋根基材、３０３は第２の屋根基材、３０４は第４の屋根基材、４０１は屋根である。
【００２８】
屋根４０１の上にまず第１の屋根基材３０１を配置する。この基材は屋根にしっかりと固定されるか、あるいは基材には、当初から屋根の一部として第１の屋根基材３０１と同様な形状を施しておく。第１の屋根基材３０１は、太陽電池一体屋根葺材１の第１の延出部１３および重ね合せ延出部１４と嵌合できる形状を有する。また、同様に、第２の屋根基材３０３も、屋根４０１の軒先から棟方向に向けて第２の延出部１７と嵌合ことができる形状を持ち、屋根４０１に固定されている。第１の屋根基材３０１と第２の屋根基材３０３にそって、太陽電池一体屋根葺材１を配置し、既に説明した方法により複数の太陽電池一体屋根葺材１を所定の数だけ平面的に屋根４０１に配置する。
【００２９】
複数の太陽電池一体屋葺材１を配置後、第４の屋根基材３０４は、配置された太陽電池一体屋根葺材１の横側をカバーするように太陽電池一体屋根葺材１の重ね合せ部８を覆うように屋根４０１に固定される。そして、第４の屋根基材３０４は、必要に応じて配置された太陽電池一体屋根葺材１の棟側をカバーするように太陽電池一体屋根葺材１の段差部１５および重ね合せ段差部１６を覆うように屋根４０１に固定される。
【００３０】
図３においては、横方向に５枚、縦方向に３枚の計１５枚を配置した。もちろん、この枚数は、適宜変更可能なことはいうまでもない。
【００３１】
次に、複数の太陽電池一体屋根葺材１を屋根に配置した場合において、太陽光により発電された電力を電極ケーブルにより取り出す方法について図８を用いて説明する。８０２は基材電極部（メス）、８０３は基材電極部（オス）、８０４と８０５は電力を取り出すための電極ケーブルである。
【００３２】
本実施形態では、１枚の太陽電池一体屋根葺材において、４枚のソーラーセル６Ａ、６Ｂ、６Ｃ、６Ｄを用いている。それぞれのソーラーセルは、６Ａ→６Ｃ→６Ｄ→６Ｂのように接続されている。図８の破線は、ソーラーセル内の接続順序を模式的に示している。電極部（オス）３はソーラーセル６Ａと、電極部（メス）２はソーラーセル６Ｂとそれぞれ接続されている。第２の屋根基材３０３の内部には、電極ケーブル８０４が埋め込まれており、太陽電池一体屋根葺材１の電極部（オス）３と電気的に接続可能な基材電極部（メス）８０２が複数個形成されている。また、第４の屋根基材３０４の内部にも同様に電極ケーブル８０５が埋め込まれており、太陽電池一体屋根葺材１の電極部（メス）２と電気的に接続可能な基材電極部（オス）８０３が複数個形成されている。太陽電池一体屋根葺材１は、太陽電池一体屋根葺材１同士が電気的に横方向に接続されており、図８の場合には５枚の太陽電池一体屋根葺材１が直列的に接続されている。また、直列的に５枚接続された太陽電池一体屋根葺材１は、第２の屋根基材３０３と第４の屋根基材３０４により、並列的に５列接続されて、電極ケーブル８０４と８０５により、外部に太陽光による電力が取り出されることができる。
【００３３】
以上説明したように、屋根に配置された複数の太陽電池一体屋根葺材による太陽光発電システムでは、同じ形状の太陽電池一体屋根葺材を用いることができるので、大量生産による低コスト化をはかることが可能であり、その配置方法にも大きな自由度がある。
【００３４】
太陽の位置は水平線よりも必ず上に位置するので、太陽光は必ず上方向から屋根に降り注ぐ。そのため、屋根の軒先側に配置された太陽電池一体屋根葺材１の屋根葺材表面部７よりも屋根の棟側に配置された太陽電池一体屋根葺材１の屋根葺材表面部７が屋根の傾斜に垂直な方向に対して同一あるいは低い構造とすることで、太陽電池一体屋根葺材自身の影が、軒先側の太陽電池一体屋根葺材に落ちることはなく、有効に太陽光を電力に変換することができる。
【００３５】
また、通常屋根葺材のソーラーセル部分以外に照射された太陽光はまったく利用されないが、本実施形態の太陽電池一体屋根葺材においては、光透過性の材質を太陽電池一体屋根葺材に用いているため、カーポートやビニールハウスなどの透明な屋根に設置した場合、その内部を明るく照射することができ、太陽光を最大限有効に利用することができる。
【００３６】
（第２実施形態）
以下、本発明の第２実施形態による太陽電池一体屋根葺材について、図面を参照しながら説明する。本実施形態は、太陽電池一体屋根葺材のソーラーセル接続方法、および太陽電池一体屋根葺材同士の接続方法が第１実施形態と異なる実施形態である。よって、構成が同じ部分については、同じ符号をつけ、一部説明を簡略化あるいは省略する。
【００３７】
図９は、第２実施形態に係る複数の太陽電池一体屋根葺材の屋根への設置した際の電気的接続状態を示す模式図である。９０４、９０５、９０６は電極ケーブル、９１３は第２の屋根基材、９１４は第４の屋根基材である。
【００３８】
本実施形態においては、第１実施形態の位置合せ凸部や位置合せ嵌合部がなく、その代わりに電極部（メス）２と電極部（オス）３となっており、本実施形態においては、電極部（メス）２と電極部（オス）３がそれぞれ２個ずつ存在する。
【００３９】
また、本実施形態では、１枚の太陽電池一体屋根葺材１において、４枚のソーラーセル６Ａ、６Ｂ、６Ｃ、６Ｄを用いている。それぞれのソーラーセルは、６Ａ→６Ｂ、６Ｄ→６Ｃのように接続されている。図９の破線は、ソーラーセル内の電気的な接続を模式的に示している。１つの電極部（オス）３はソーラーセル６Ａと、もう一つの電極部（オス）３はソーラーセル６Ｃに接続されている。また、１つの電極部（メス）２はソーラーセル６Ｂに、もう一つの電極部（メス）２はソーラーセル６Ｄと接続されている。第２の屋根基材９１３の内部には、電極ケーブル９０４、９０５が埋め込まれており、太陽電池一体屋根葺材１の電極部（オス）３と電気的に接続可能な基材電極部（メス）８０２が複数個形成されている。また、第４の屋根基材９１４の内部にも同様に電極ケーブル９０６が埋め込まれており、太陽電池一体屋根葺材１の電極部（メス）２と電気的に接続可能な基材電極部（オス）８０３が複数個形成されている。
【００４０】
本実施形態では、各太陽電池一体屋根葺材１のソーラーセル６Ａと６Ｂが直列的に接続されている。そして、各太陽電池一体屋根葺材１のソーラーセル６Ｃと６Ｄが直列的に接続されている。このソーラーセルの直列接続を、さらに第４の屋根基材の電極ケーブル９０６が直列的に接続している。さらに、第２の屋根基材の電極ケーブル９０５は、横方向に接続された太陽電池一体屋根葺材１を直列的に接続している。つまり、平面状に配置された太陽電池一体屋根葺材１のすべてのソーラーセルを直列に接続している。さらに、外部に太陽光による電力を取り出す際に、１つの第２の屋根基材９１３から正負２本の電極ケーブルを取り出すことができ、２芯の電極ケーブルを用いることで、見かけ上１本の配線とすることができ、太陽発電一体屋根葺材を屋根に設置する際のケーブルの取り回しが容易となり、外観上もすっきりとする。
【００４１】
以上説明したように、第２実施形態の太陽電池一体屋根葺材において、第１実施形態の太陽電池一体屋根葺材の効果に加え、設置外観の向上、および電極ケーブルの取り回しが容易になるという効果がある。さらに、一つのソーラーセルの発電電圧が低い場合でも、多数のソーラーセルを直列に接続し、高い電圧を得ることができるという効果もある。
（第３実施形態）
【００４２】
以下、本発明の第３実施形態による太陽電池一体屋根葺材について、図面を参照しながら説明する。本実施形態は、第１実施形態の位置合せ凸部に屋根への固定機能を付加した実施形態である。よって、構成が同じ部分については、同じ符号をつけ、一部説明を簡略化あるいは省略する。
【００４３】
図１０は、第３実施形態に係る太陽電池一体屋根葺材の屋根への固定を示す断面図であり、（ａ）は２つの太陽電池一体屋根葺材の接続前の状態を示し、（ｂ）は接続後の状態を示す。１００１はネジ、１００２はネジ穴、１００４はシール部材嵌合部、１００５はシール部材である。
【００４４】
本実施形態において、屋根４０１に太陽電池一体屋根葺材１を強固に固定するためのネジ１００１をもちいる。太陽電池一体屋根葺材１の重ね合せ部８に形成された位置合せ凸部４にネジ１００１により太陽電池一体屋根葺材１を屋根４０１に固定するためのネジ穴１００２を設け、位置合せ凸部４の上面にこのネジ穴１００２を雨水などの浸入防止するためのシール部材１００５を取り付けるためのシール部材嵌合部１００４を形成した。
以上説明したように、第３実施形態の太陽電池一体屋根葺材において、太陽電池一体屋根葺材を強固に屋根に固定することができるので、第一実施形態の太陽電池一体屋根葺材に比べ、強風にも耐えることができるという効果がある。
【符号の説明】
【００４５】
１、１ａ、１ｂ、１ｃ  太陽電池一体屋根葺材
２  電極部（メス）
３  電極部（オス）
４  位置合せ凸部
５  位置合せ嵌合部
６Ａ、６Ｂ、６Ｃ、６Ｄ  ソーラーセル
７  屋根葺材表面部
８  重ね合せ部
９  傾斜部
１０  第１の端部
１１  第３の端部
１２  第２の端部
１３  第１の延出部
１４  重ね合せ延出部
１５  （第３の端部）段差部
１６  重ね合せ段差部
１７  第２の延出部
３０１  第１の屋根基材
３０２  第３の屋根基材
３０３  第２の屋根基材
３０４  第４の屋根基材
４０１  屋根
５０１  電極突凸部
５０２  電極コネクタ（メス）
５０３  電極ケーブル
５０４  シール部材嵌合部
５０５  シール部材
５１１  電極嵌合部
５１２  電極コネクタ（オス）
５１３  電極ケーブル
５１４  シール部材当接部
６０１  雨水止め部
７１１  位置合せ嵌合突起部
８０２  基材電極部（メス）
８０３  基材電極部（オス）
８０４、８０５  電極ケーブル
９０４、９０５、９０６  電極ケーブル
９１３  第２の屋根基材
９１４  第４の屋根基材
１００１  ネジ
１００２  ネジ穴
１００４  シール部材嵌合部
１００５  シール部材
【図１】
2014152513.tif 000003
【図２】
2014152513.tif 000004
【図３】
2014152513.tif 000005
【図４】
2014152513.tif 000006
【図５】
2014152513.tif 000007
【図６】
2014152513.tif 000008
【図７】
2014152513.tif 000009
【図８】
2014152513.tif 000010
【図９】
2014152513.tif 000011
【図１０】
2014152513.tif 000012